(57)【要約】【課題】足関節を適切な位置にずれが起きないように固定し、安定した支持と適切な圧迫を加えることができ、しかも、操作が簡単で扱い易い足関節サポーターを提供する【解決手段】踝、足底部の一部および足背部の一部を覆う筒状部材１と、筒状部材１の一方の外側面から筒状部材１の足底部に対応する部分を通り筒状部材１の他方の外側面に至る方向に張力を与える張力付与手段６とを備え、張力付与手段６の筒状部材１の一方の外側面に位置する一端の幅Ｗ１とその一端が設置される筒状部材１の幅Ｌとの比が０．４：１．０〜１．０：１．０の範囲であり、張力付与手段６により足前部に上向きの力を加え得るようにする。【選択図】  図１
2004236811.tif 000002
【特許請求の範囲】
【請求項１】
踝、足底部の一部および足背部の一部を覆う筒状部材と、筒状部材の一方の外側面から筒状部材の足底部に対応する部分を通り筒状部材の他方の外側面に至る方向に張力を与える張力付与手段とを備え、張力付与手段の筒状部材の一方の外側面に位置する一端の幅とその一端が設置される筒状部材の幅の比が０．４：１．０〜１．０：１．０の範囲であり、張力付与手段により足前部に上向きの力を加え得るようにしたことを特徴とする足関節サポーター。
【請求項２】
踝、足底部の一部および足背部の一部を覆う筒状部材と、筒状部材の足底部に対応する部分から筒状部材の足底部に対応する部分を通り筒状部材のいずれか一方の外側面に至る方向に張力を与える張力付与手段とを備え、張力付与手段の筒状部材の足底部に対応する部分に位置する一端の幅とその一端が設置される筒状部材の幅の比が０．４：１．０〜１．０：１．０の範囲であり、張力付与手段により足前部に上向きの力を加え得るようにしたことを特徴とする足関節サポーター。
【請求項３】
張力付与手段の筒状部材の一方の外側面に位置する一端の幅は他端の幅より広く形成されることを特徴とする請求項１記載の足関節サポーター。
【請求項４】
張力付与手段の筒状部材の足底部に対応する部分に位置する一端の幅は他端の幅より広く形成されることを特徴とする請求項２記載の足関節サポーター。
【請求項５】
張力付与手段が帯状部材であり、帯状部材の一端が外側面又は筒状部材の足底部に対応する部分に固定され、他端が筒状部材上に係合されることを特徴とする請求項１〜４のいずれか１つに記載の足関節サポーター。
【請求項６】
張力付与手段が全長に亘り筒状部材上に固定された帯状部材であることを特徴とする請求項１〜４のいずれか１つに記載の足関節サポーター。
【請求項７】
帯状部材が複数のベルト部材を接合することで形成されていることを特徴とする請求項５又は６記載の足関節サポーター。
【請求項８】
帯状部材が少なくとも２種類以上の性質の異なるベルト部材を接合することで形成されていることを特徴とする請求項５又は６記載の足関節サポーター。
【請求項９】
帯状部材が２本のベルト部材を略Ｖ字形状に接合して形成されることを特徴とする請求項５〜８のいずれか１つに記載の足関節サポーター。
【請求項１０】
帯状部材の筒状部材への取り付け部分近傍に当て辺を設けたことを特徴とする請求項５〜９のいずれか１つに記載の足関節サポーター。
【請求項１１】
筒状部材の足底部に対応する部分から左右に延び、足背部に対応する部分上で８の字状に交差して踵部に対応する部分の上部の近傍に至るように巻き付け固定し得る帯状部材を備えることを特徴とする請求項５〜１０のいずれか１つに記載の足関節サポーター。
【請求項１２】
張力付与手段の表面に滑り止め性を付与させたことを特徴とする請求項１〜１１のいずれか１つに記載の足関節サポーター。
【請求項１３】
筒状部材の一部に異なる繊維を使用するか、筒状部材の一部の編み織り組織を変えるか、筒状部材の一部に樹脂を含浸又は塗布するか、又はそれらの組み合わせにより張力付与手段が形成されることを特徴とする請求項１〜４のいずれか１つに記載の足関節サポーター。
【発明の詳細な説明】
【０００１】
【発明の属する技術分野】
本発明は、足関節における内反または外反捻挫等の外傷の発生予防、再発予防、治療や、拘縮に対する矯正やリハビリテーションのために足首に固定して用いられる医療用、スポーツ用の足関節サポーターに関する。
【０００２】
【従来の技術】
足関節における捻挫等の外傷の発生予防、再発予防、治療や、先天性または後天性の疾患が原因で起こる拘縮に対する矯正、リハビリテーションには種々の方法があるが、現在主として、ギプス、副木、テーピングテープ、バンデージ、サポーター等が使用され、場合によってはこれらの複数のものが併用される。これらの各手段にはそれぞれの特徴があり、使用者の患部の状態や使用される状況等によって選択される。その中で、特にサポーターは次のような利点をもつことから、外傷の有用な発生予防、再発予防、治療の手段として様々な場面で利用されている。まず、サポーターは、装着するのに例えばギプス、テーピングテープのように、ある程度の熟練した技術またはそれを有する補助者を特別必要とせず、簡単にしかも短時間に装着ができる。また、患部の状態によって長期的に着用するのが好ましい場合には、サポーターは、連続使用に対する安定性、耐久性がテーピングテープやバンデージに比べ優れており、その結果使用に際してのランニングコストも少なくてすむ。
【０００３】
現在使用されている足関節サポーターとしては種々のものがあるが、その１つとして足関節周囲を覆う筒状体と、その外表面に設置され足関節を締め付け固定するベルトからなるサポーターがある。この種のサポーターの具体的な構造として、足関節周囲を覆う筒状体、筒状体の内踝外表面に１端が取り付けられ、足底部から足背部を通り踵部上部に至る伸縮性ベルトを備えたサポーター（例えば、特許文献１参照。）、足関節の上方および下方周囲を覆う筒状体、筒状体の外側面から足底部を通り反対側の外側面まで延びるベルト、筒状体の後部のアキレス腱に対応する部分から足底部を取り巻いて外側面まで延びるベルトを備えたサポーター（例えば、特許文献２参照。）、足関節周囲を覆う筒状体、筒状体の内側の踝を覆う板状部材、板状部材の下部または筒状体の足底部に連結され足底部を通り筒状体の外側面まで回るベルトを備えたサポーター（例えば、特許文献３参照。）等がある。
【０００４】
これらのサポーターは、いずれも足背部または足底部周囲を捲回するベルトや支持プレートにより、足関節を中心に特定の方向から力をかけて足関節を固定しようとするものであるが、足底部の動きに対して、サポーターのずれ、よれを十分に抑制すると共に足底部の安定性を十分に維持できるものではなかった。即ち足底部はサポーターとの接触面積が広く、使用者の全体重が集中する部分である上、一般に凹凸のあるアーチ形状を有しているため、サポーターのずれが非常に起こりやすい部分であるが、従来のサポーターはそれを抑制するのに特段有利な構造を備えていなかった。その結果、足底部で発生したサポーターのずれ、よれは、足の動きによりさらにその周辺部に広がるため、適切な位置からずれた位置でサポーターを固定することになり、サポーター本来の機能を十分に発揮することができない。また、この種のサポーターは一般に足関節周囲をより強固に固定するため複数のベルトを使用し、２重、３重に患部を締め付けることが行われるが、足関節サポーターの装着に慣れていない人や高齢者あるいは手先が不自由な人にとっては操作が煩雑になるばかりか、不適切な位置にベルトを固定してしまう可能性もある。
【０００５】
また、足底部を安定させる方法としては、足関節全体を覆う筒状体の足底部に対応する部分に足底板を一体的に取り付けたサポーターが提案されている（例えば、特許文献４、特許文献５、参照。）。しかしながら、足底部の形状は個人差が大きいため、この種のサポーターを使用する場合には、使用者に応じて適当な足底板を調整する手間がかかるし、靴を履いて使用する場合には靴との相性も考慮する必要があった。また、足底板を筒状体に一体的に取り付けることで、足底板と筒状体とのずれは防止するという利点はあるが、サポーターそのものを患部からずれないようにする特段の構成は持っていないため、仮に足底板が使用者にフィットするものだとしても、使用と共に徐々にサポーターがずれる可能性があった。
【０００６】
更に、脳卒中片麻痺や腓骨神経麻痺等の障害で損なわれた下肢の機能を矯正するため、足に装着した第１の装着体と大腿に装着した第２の装着体との間に伸縮体を掛け渡し、伸縮体の弾性力により足先を上方に持ち上げるようにした装具も提案されている（例えば、引用文献６）。この装具によれば、足の動きを封じることなく足先を上方に持ち上げることができ、歩行の際に足先が床や段差に引っ掛かるのを防止することができるが、２つの装着体を使用するため装着が面倒で、また伸縮体は両装着体間に局部的な力を加えることになるため、損傷した足の機能を十分に保護し得るものではない。又、麻痺による障害では足先が下がると共に、足は内反が起こり易くなり、そのため捻挫等を引き起こす可能性があるが、このサポーターでは内反を十分に抑制する機能を備えていない。
【０００７】
【特許文献１】
実開平３−１０１９３０号公報（第２〜６頁、第１図、第２図）
【特許文献２】
特表平７−５０３８７９号公報（第６〜７頁、図１、図２）
【特許文献３】
特開平１１−９７５４号公報（第２〜３頁、図１、図２）
【特許文献４】
特開平７−１８４９４４号公報（第２〜３頁、図１、図２）
【特許文献５】
特開２００１−１９２９０２号公報（第２〜３頁、図１）
【特許文献６】
特開平９−３１３５５３号公報（第２〜５頁、図１〜６）
【０００８】
【発明が解決しようとする課題】
本発明の課題は、足関節を適切な位置にずれが起きないように固定し、安定した支持と適切な圧迫を加えることができ、しかも、操作が簡単で扱い易い足関節サポーターを提供することにある。特に、足の底背屈の動きを過度に妨げることなく、内反又は外反の動きを十分に抑制し、足底部の安定性を維持する足関節サポーターを提供することを課題とする。
【０００９】
【課題を解決するための手段】
上述の課題を解決するために、本発明においては、踝、足底部の一部および足背部の一部を覆う筒状部材と、筒状部材の一方の外側面から筒状部材の足底部に対応する部分を通り筒状部材の他方の外側面に至る方向に張力を与える張力付与手段とを備え、張力付与手段の筒状部材の一方の外側面に位置する一端の幅とその一端が設置される筒状部材の幅の比が０．４：１．０〜１．０：１．０の範囲であり、張力付与手段により足前部に上向きの力を加え得るようにする。
【００１０】
また本発明においては、踝、足底部の一部および足背部の一部を覆う筒状部材と、筒状部材の足底部に対応する部分から筒状部材の足底部に対応する部分を通り筒状部材のいずれか一方の外側面に至る方向に張力を与える張力付与手段とを備え、張力付与手段の筒状部材の足底部に対応する部分に位置する一端の幅とその一端が設置される筒状部材の幅の比が０．４：１．０〜１．０：１．０の範囲であり、張力付与手段により足前部に上向きの力を加え得るようにする。
【００１１】
張力付与手段の筒状部材の一方の外側面に位置する一端の幅、又は張力付与手段の筒状部材の足底部に対応する部分に位置する一端の幅は、他端の幅より広く形成するのが好ましい。
【００１２】
筒状部材は、天然繊維、化学繊維よりなる織布、編布、不織布、パイル生地や、フォーム材料などを単独または任意に選択組み合わせて形成することができる。その具体的な素材としては、例えば、綿、毛、ウール、レーヨン、アクリル、ポリアミド、ポリエステル、ポリウレタン、ポリ塩化ビニリデン等の繊維を適宜組み合わせてなる、経編みまたは緯編み布のジャージ生地、パワーネットのような弾性糸混紡編物、ダブルラッシェル生地の立体編物等がある。さらに、これらの生地とゴム発泡体（クロロプレンゴム、天然ゴム、ブチルゴム、スチレン・ブタジエンゴム  、イソプレンゴム等）、ウレタン発泡体（圧縮ウレタン）等のフォーム材料を積層した複合材料を用いることができる。
【００１３】
筒状部材は上述のような素材を連続した１枚の生地から形成することができるが、適当な大きさに裁断したものを縫製や接着によりつなぎ合わせて形成することもできる。特に、足背上部や踵部のような凹凸の多い部位では体表面との追従性が必要であり、適度な圧迫性や操作性を向上させるために伸縮性の生地を部分的または全面に用いるのが好ましい。この筒状部材の生地の伸縮性は、その生地に用いる繊維の特性やその混紡の割合、生地同士の組合せパターン等により自由に調整することができる。なお、表面生地がポリアミド、ポリエステル、ポリ塩化ビニリデン等の素材でパイル状にしたものは面ファスナとして利用でき、筒状部材同士または筒状部材と他の部材間での着脱やそれらの位置調節に有利である。
【００１４】
筒状部材は踝と足底部の一部および足背部の一部を覆うように適当な大きさに略筒状に形成することができるが、この筒状部材は、最初から布帛を筒状に縫製したもののほか、この筒状部材の一部または全部に、開放部分を設けたものを使用することができる。開放部分は、前方側（足背側）または後方側（アキレス腱側）、側方側のいずれの箇所に設けても良く、開放の切れ込みは直線状、曲線状、またはその両方を組み合わせた形状を用いることができる。開放部分を設ける場合には、開放した一方の側片を他方の側片に面ファスナ等で係着して筒状に形成できるようにする。このような開放部分を設けることにより、面ファスナ等の係着の仕方を調節することができ、個人差のある患部に対し最も適切な圧迫力を加えることができる。筒状部材は少なくとも踝と足底部の一部および足背部の一部を覆っていればよく、疾患の状態や使用される状況を考慮して、下腿部の一部をも覆い得るようにしたり、適宜スリットや孔を開けて通気性を向上させたりすることができる。
【００１５】
筒状部材に設置される張力付与手段としては特に限定されないが、具体的には、伸縮性または非伸縮性の帯状の材料の１端を筒状部材の外側面または筒状部材の足底部に対応する部分に取り付け、他端を反対側の外側面に引上げられるように設置する方法、筒状部材の外側面または筒状部材の足底部に対応する部分から筒状部材の足底部に対応する部分を通り筒状部分の反対側の外側面の方向に至る領域に、筒状部材の生地より強い弾性をもつ材料を設置する方法等がある。弾性をもつ材料の設置方法としては、その弾性材料の形態により適宜選択でき、例えば、帯状、シート状のものであれば筒状部材の生地の上から（生地が積層構造である場合はその内部に）縫着、接着、溶着等により取り付け、糸状のものであれば筒状部材へ縫い込むことで張力を付与させる。また、弾力性を有する合成樹脂を液状で生地へ含浸、塗布し、その後樹脂を乾燥させる方法も用いることができる。勿論、これらの弾力性のある材料そのもので、筒状部材の上記領域の一部または全部を構成し、張力を付与させてもよい。張力付与手段として特に好ましくは、帯状の材料を設置する方法で、帯状の先端に面ファスナ等の係合手段を取り付け筒状部材と着脱自在にすることで、圧迫や固定の力を調節ができるようになる。それに、帯状部材に使用する材料の性質を適宜選択することでも容易に圧迫や固定の力を変えることができるので、幅広い患者層に適応可能なサポーターとなる。つまり、非伸縮性の材料または弾力性に富む材料を使用すれば、肢位を強固にかつ安定的に固定する場合に有利であり、伸縮性の材料または弾力性に乏しい材料を使用したものであれば、スポーツ選手やリハビリテーションを行う患者等の患部にある程度の可動性が求められ場合に適用できる。
【００１６】
また、張力付与手段は、足底部にバランス良く力をかけ、足底部を全体的に支持、安定させるために、筒状部材の外側面または筒状部材の足底部に対応する部分に取り付けられる１端の幅とそれが設置される筒状部材の幅の比が０．４：１．０〜１．０：１．０の範囲であることが好ましく、０．５：１．０〜０．８：１．０の範囲であることがさらに好ましい。張力付与手段の１端の幅が筒状部材の幅に対して０．４以下であると、足底部の安定性が得られ難くなると共に、局所的に圧力がかかり易くなるので使用者に痛みを生じさせたり、筒状部材が磨耗し易くなる可能性がある。また、１．０以上、即ち張力付与手段の幅が筒状部材の幅より広いと、サポーター全体のかさが増え、装着感が悪化すると共に、経済的にも不利である。なお、張力付与手段が、足前部に上向きの力を効果的に加え、内反又は外反の動きを十分に抑制するために、筒状部材の外側面に１端を取り付ける場合には、他端を筒状部材の他方の外側面において前記１端の設置される筒状部材の位置より高い位置に設置すること、また筒状部材の足底部に対応する部分に１端を取り付け、筒状部材の足底部に対応する部分を通り筒状部材のいずれか一方の外側面に至る方向に張力付与手段を設ける場合には、張力付与手段が少なくとも足底の半分以上の部分を通り得る位置に１端を設置し、他端を筒状部材の外側面の足底より高い位置に設置することが好ましい。さらにこの張力付与手段は、内反又は外反の動きのきっかけとなる踵部の動きに対し、その側方の動揺を抑制するために、足底部の踵部近傍に対応する位置を通ることが好ましい。この際、張力付与手段の筒状部材の外側面または筒状部材の足底部に対応する部分に位置する１端の幅は、他端の幅より広く形成されるか、その１端から他端に向かって概ね幅が狭くなっていくよう形成される。このようにすることで、幅広に形成した張力付与手段の１端近傍は足底部を十分支持することができ、一方、それよりも幅を狭くした他端はサポーターと足の追従性を向上させると共に、必要以上に足の動きを制限しないので装着感が向上する。特に、張力付与手段として帯状部材を使用した場合は、その先端幅が狭くなっていれば持ち易く、帯状部材の位置調節の操作がやり易い。さらに、この帯状部材を複数のベルト部材を接合し形成することもできる。ベルト部材は特に張力をかける必要がある部分（例えば、踵や爪先近傍等）にその１端を設置し、他端はばらばらにならないよう１つにまとめて接合する。また、複数のベルト部材に使用する材料を性質の異なるもので形成すれば、加える張力を部分的に変えることもでき、患部の状態に合わせた適用が可能となる。ベルト部材の本数は特に限定されないが、２本を略Ｖ字形状に形成したものが好ましく、２本のベルト部材間に間隙ができるので、筒状部材を覆わない部分ができ、足との追従性が向上すると共に、経済的にも有利である。また、ベルト部材は適宜スリットや孔を開ければ、通気性を確保し、足との追従性をさらに高めることができる。
【００１７】
張力付与手段として帯状部材を使用する場合、帯状部材の筒状部材への取り付け部分近傍に当て辺を設けることができる。当て辺を設置することで、筒状部材にしわやよれが発生し難くなり、また、帯状部材の筒状部材への取り付けを補強することができる。当て辺は少なくとも帯状部材の筒状部材への取り付け部分を被覆していればよく、形状や大きさは限定されないが、筒状部材の軸方向と平行するように設置されるのが好ましい。当て辺としては、筒状部材に使用する材料と同様のものを使用することができる。
【００１８】
さらに、張力付与手段が帯状部材であれば、筒状部材の足底部に対応する部分から左右に延び、足背部に対応する部分上で８の字状に交差して踵部に対応する部分の上部の近傍に至るように巻き付け固定し得るよう帯状部材を形成してもよく、この帯状部材を筒状部材の回りに固定することにより、底屈、背屈を共に制限でき、より強い固定力が得られる。この帯状部材は、２本の帯状部材の１端をそれぞれ足底部に取り付け、左右から立ち上げて他端を筒状部材上に着脱可能に形成するようにしても良いし、１本の帯状部材の中央部を筒状部材の足底部に対応する部分に取り付け、この足底部に対応する部分の左右から立ち上げて両端を筒状部材上に着脱可能に形成するようにしても良い。帯状部材は好ましくは伸縮性で、その端部には筒状部材に着脱できるよう面ファスナ等の係合手段を設けることが好ましい。
【００１９】
張力付与手段の表面に滑り止め性を付与させることで、サポーターを装着した状態で靴を履いても靴の中でサポーターがずれ難く、適切な支持、固定を保つことができる。また、靴を脱いだ状態でも床面やスリッパとも滑り難くなり、高齢者のように足腰が弱い人が滑って転倒することも予防することができる。滑り止め性を付与させる手段としては、従来からの方法を利用でき、特にエラストマー材料を種々の形態に加工したものを使用するのが好ましい。具体的には、エラストマー材料を糸状、シート状、フォーム状等の形態に加工したものを張力付与手段の表面の一部または全部に設置したり、液状にしたエラストマー材料を張力付与手段の一部または全部に塗布したりして、滑り止め性を付与する。エラストマー材料として好ましくは、天然ゴム、イソプレンゴム、塩素化ゴム、ブタジエンゴム、ブチルゴム、スチレンゴム、スチレン−ブタジエンゴム、クロロプレンゴム、ニトリルゴム、アクリルゴム、多硫化ゴム、シリコーンゴム、ポリエチレンゴム、フッ素ゴム、ポリウレタンゴム、ＡＢＳ、エピクロルヒドリンゴム等の原料ゴムや、ポリスチレン系、ポリオレフィン系、ポリウレタン系、ポリエステル系、ポリアミド系、ポリ塩化ビニル系、エチレン−酢酸ビニル系等の熱可塑性エラストマーが使用できる。
【００２０】
足関節の内反や外反を抑制する目的で、筒状部材の両側面に金属またはプラスチックから形成される支持体を設けてもよい。この支持体の筒状部材への取り付け方法としては、筒状部材にポケットを設けその内部に挿入したり、筒状部材生地内部に縫込んだり、筒状部材の外側表面に面ファスナ等により着脱自在に取り付けることができる。
【００２１】
【発明の実施の形態】
次に本発明の実施の形態を、図面に示す実施例について説明する。
【００２２】
図１において、ａは左側面図、ｂは右側面図、ｃは正面図、ｄは筒状部材を開放状態にした正面図である。１は筒状部材で、下腿部の一部から踝と足底部の一部および足背部の一部を覆うよう筒状に形成され、装着しやすくするため前開き式に形成され、その後方の踵部に対応する部分Ｐに開口２を備え、筒状部材の足背部に対応する部分Ｑ、足底部に対応する部分Ｒは舟状骨、立方骨を覆い得る個所まで延びている。筒状部材１は下腿部に対応する部分Ｓの一方の側に２個の面ファスナ３、４、足背部に対応する部分Ｑの一方の側に面ファスナ５が設けられ、筒状部材１を装着して前開きの部分を閉じ、これらの面ファスナを用いて人体上に固定することができる。筒状部材１は表面にポリアミド、ポリウレタンからなるフレンチパイル、芯にポリウレタン発泡体、裏面にポリエステルジャージの３種類の生地を接着により積層させたものを用いて構成され、その表面側の生地により面ファスナを着脱できるようになっている。
【００２３】
筒状部材１の外側面には、張力付与手段として織ゴム製の帯状部材６の１端７が、その１端の幅Ｗ１と１端７が設置される筒状部材の幅Ｌの比が０．４：１．０〜１．０：１．０の範囲になるよう固定され、帯状部材６は外側面から筒状部材の足底部に対応する部分Ｒを通り筒状部材の反対側の外側面の方向に延び、足背部に対応する部分Ｑ上を通り、踵部に対応する部分Ｐの上部の近傍に至り巻き付けることができる長さを有しており、その先端８には面ファスナ９が設けられ、筒状部材１のフレンチパイル面に係合できるようになっている。帯状部材６は、その１端７の幅Ｗ１を他端の先端８の幅Ｗ２より幅広に形成すると共に、１端７から他端８に向かって徐々に幅を狭くするように形成する。１０は帯状部材６の筒状部材１への取り付け部分に設置される当て辺で、筒状部材１と同様の材料を適当な大きさにカットし、筒状部材１の軸方向と平行するように縫着されている。
【００２４】
次に図１の足関節サポーターの装着方法を図２を利用して説明する。先ず筒状部材１の前を開いて装着者の足をその踵部３１が開口２に嵌り込むような位置に置き、筒状部材１の前を閉じ、各面ファスナ３、４、５を備えた側を他方の側の上に重ねて面ファスナ３、４、５を筒状部材１上に係着し、下腿部３２から足背部３３の一部、足底部３４の一部が筒状部材１により包まれるように固定する（ａの状態）。次いで、筒状部材１の外側面から延びる帯状部材６を足底部３４から、足背部３３の頂上を添わせ、反対側に引き伸ばし、踵部の上部近傍で面ファスナにより筒状部材１に係着する（ｂの状態）。このようにして、筒状部材１は足背部と足底部の各一部に確実に固定された上で帯状部材６が筒状部材１の一方の外側面から足底部３４を通り、他方の外側面に至り、筒状部材上に係着されることにより、筒状部材１の足底部に対応する部分が帯状部材６により足底部に押し付けられるから筒状部材６が足からずれることがなく、しかも足前部に対し上向きの力が加わる。
【００２５】
図３、図４は本発明の異なる実施例の、ａは左側面図、ｂは装着状態における斜視図であり、図１と同等部分には同符号を付してある。図３の実施例は図１の実施例に対し、張力付与手段として帯状部材１１が２本のベルト部材１２、１３を略Ｖ字形状に接合し構成される点が異なっている。即ち２本のベルトの１端１４、１５が筒状部材１の外側面に取り付けられ、ベルトの他端が互いに接合され面ファスナ１６で筒状部材１上に係着とできるようになっている。装着に当たっては、図１、図２の実施例で説明した係着方法と同様な方法で適用する。図４の実施例は図１の実施例に対し、帯状部材１７が２本のベルト部材１８、１９を略Ｖ字形状に接合し構成される点と、その帯状部材１７を足底部の中央部分に２本取り付ける点が異なっている。この２本のベルト状部材１８、１９の足底部に固定する部分の幅Ｗ１とその固定される部分の筒状部材１７の幅Ｌとの比は同様に０．４：１．０〜１．０：１．０の範囲になるように選ぶのが好ましい。装着に当たっては、足底部の中央から延びる２本の帯状部材１７を足背部上に添わせ、足背部の頂上で互いに８の字に交差するようにして反対側に引き伸ばし、踵部の上部近傍で面ファスナ２０により筒状部材１上に係着する。
【００２６】
上述の実施例の図１、図３では帯状部材を足の内反を予防する方向に取り付けた例を示したが、帯状部材を図１、図３とは反対側の外側面に取り付け足の外反を予防するようにすることも可能で、その場合の帯状部材の取り付け位置以外の構成については基本的に変るところはない。
【００２７】
図５、図６はそれぞれ本発明のさらに異なる実施例の、ａは左側面図、ｂは装着状態における斜視図であり、図１と同等部分には同符号を付してある。これらの実施例は図１の実施例に対し、張力付与手段の構成が異なっている。即ち図５の実施例における張力付与手段２１は、筒状部材の外側面から足底部に対応する部分を通り、反対側の外側面の方向に延び、足背部に対応する部分を通り、踵部に対応する部分の上部の近傍に至る領域に、筒状部材の生地より強い弾性を持つ生地を縫着する構成になっている。張力付与手段に用いる生地の弾性の強さは、本サポーターの使用者の疾患の状態や使用される状況（スポーツやリハビリテーション等）を考慮して適宜選択することができる。又、図６の実施例における張力付与手段２２は、筒状部材の外側面から足底部に対応する部分を通り、反対側の外側面の方向に延び、足背部に対応する部分を通り、踵部に対応する部分の上部の近傍に至る領域を、筒状部材の他の領域より弾性の強い編み組織にすることで構成されている。弾性の強い編み組織を形成する方法としては、ポリウレタン繊維のような弾性を有する材料で編みを行うか、編みに使用する糸の打ち込み本数を他の領域より増やし形成することができる。この方法によれば、筒状部材に他の材料を重ね合わせしなくてもよいので、張力付与手段の厚みを抑えることができる。これら図５、図６による実施例は、張力付与手段として帯状部材を使ったときに要する張力の強さ調節が特段いらないので、簡単に着脱でき、また、使用時ごとに張力のかかり具合を気にすることなく毎回一定の張力を得ることができる。
【００２８】
以上述べた実施例においては、帯状部材の一端は筒状部材の一方の外側面又は筒状部材の足底部に対応する部分の中央に始まっているものを示したが、これらに限るものではない。筒状部材の足底部に対応する部分の任意の位置、即ち足底部の中央に限らず、中央からずれた任意の位置から始まって筒状部材の一方の外側面又は両外側面に至るように帯状部材を設けることができる。
【００２９】
【発明の効果】
本発明によれば、筒状部材に足底部を覆う張力付与手段を備えることで、足底部と筒状部材生地とのずれを起こり難くすることができ、長時間使用しても安定した支持、固定を持続させることができる。又、足の底背屈の動きを過度に妨げる構成を有していないため、スポーツやリハビリテーションを行う場合には、足が本来持っている底背屈の機能を有効に使いつつ、内反又は外反の動きを十分に抑制し、足関節及び足底部の安定性を維持することができる。しかも、本体部分は筒状部材だけで、その外には必要最低限のベルトで確実に患部を固定するものであるから操作が簡単で扱い易く、素材の使用量を低減できるため経済的にも有利である。
【図面の簡単な説明】
【図１】本発明の実施例の、ａは左側面図、ｂは右側面図、ｃは正面図、ｄは筒状部材を開放状態にした正面図である。
【図２】本発明の装着方法を説明するための斜視図である。
【図３】本発明の別の実施例の、ａは左側面図、ｂは装着状態における斜視図である。
【図４】本発明のさらに別の実施例の、ａは左側面図、ｂは装着状態における斜視図である。
【図５】本発明のさらに異なる実施例の、ａは左側面図、ｂは装着状態における斜視図である。
【図６】本発明のさらに異なる実施例の、ａは左側面図、ｂは装着状態における斜視図である。
【符号の説明】
１  筒状部材
２  開口
３  面ファスナ
４  面ファスナ
５  面ファスナ
６  帯状部材（張力付与手段）
７  帯状部材の１端
８  帯状部材の１端
９  面ファスナ
１０  当て辺
１１  帯状部材（張力付与手段）
１２  ベルト部材
１３  ベルト部材
１４  ベルトの１端
１５  ベルトの１端
１６  面ファスナ
１７  帯状部材（張力付与手段）
１８  ベルト部材
１９  ベルト部材
２０  面ファスナ
２１  張力付与手段
２２  張力付与手段
３１  踵部
３２  下腿部
３３  足背部
３４  足底部
Ｐ  踵部に対応する部分
Ｑ  足背部に対応する部分
Ｒ  足底部に対応する部分
Ｓ  下腿部に対応する部分
【図１】
2004236811.tif 000003
【図２】
2004236811.tif 000004
【図３】
2004236811.tif 000005
【図４】
2004236811.tif 000006
【図５】
2004236811.tif 000007
【図６】
2004236811.tif 000008